(57)【要約】【課題】  厨房や戸棚の裏側や下側に潜んでいるゴキブリを凹溝状の電極を有する受皿に誘導して感電により捕獲処理する装置を提供する。【解決手段】  ２条のテープ状電極５ａ、５ｂを離間して貼着した絶縁シート６からなる電極シート７を上部通路３ｅとし、この下部に絶縁シート６からなる下部通路３ｆを有する溝状体３に形成し、この溝状体３を図１に示すように部屋８の例えば厨房８ａなどの壁８ｃもしくは床８ｄに設置して溝状の電極受皿２を張りめぐらし、この溝状体３の溝状の電極受皿２からなる上部通路３ｅの要所にゴキブリなどの害虫を捕獲する捕獲穴２ａを開口し、下部通路３ｆをゴキブリの貯留部としたゴキブリなどを害虫誘導捕獲装置１である。【選択図】      図１
0003134913.tif 000002
【実用新案登録請求の範囲】
【請求項１】
紙シート６ａもしくは合成樹脂シート６ｂからなる長尺の絶縁シート６から左右の側壁３ａ、側壁３ｂと、底壁３ｃと中底３ｄから長尺の溝状体３を形成し、該溝状体３の中底３ｄより上側を上部通路３ｅとし、一方、該溝状体３の中底３ｄより下側を下部通路３ｆとし、この上部通路３ｅの左右の側壁３ａ、側壁３ｂと、中底３ｄを形成する紙シート６ａもしくは合成樹脂シート６ｂからなる長尺の絶縁シート６に２条のカラー金属箔４からなる長尺のテープ状電極５ａ、５ｂを平行に、かつ、離間して設けて電極受皿２とし、この溝状の電極受皿２の通路である上部通路３ｅの要所ごとに下部通路３ｆへの捕獲穴２ａを配設し、これらの上部通路３ｅと下部通路３ｆを有する溝状体３の端部３ｇに同一構造の他の溝状体３の端部３ｇを縦筒体３ｉを介して接続して屈曲状の溝状体３に形成し、該溝状体３を厨房８ａあるいは居室８ｂなどの部屋８の壁８ｃもしくは床８ｄに設置したことを特徴とするゴキブリなどの害虫誘導捕獲装置１。
【請求項２】
溝状体３は左右の側壁３ａ、３ｂの各上端を内側に折り曲げて補強板３ｊ、３ｋに形成し、左右の補強板３ｊ、３ｋの間をゴキブリなどの害虫の進入口としたことを特徴とする請求項１に記載のゴキブリなどの害虫誘導捕獲装置１。
【請求項３】
絶縁シート６は２条のカラー金属箔４からなるテープ状電極５ａ、５ｂに電気を供給する端子部１１を有することを特徴とする請求項１または２に記載のゴキブリなどの害虫誘導捕獲装置１。
【請求項４】
２条のカラー金属箔４からなるテープ状電極５ａ、５ｂに電気を供給する端子部１１は内部に乾電池からなる電源部を有することを特徴とする請求項１または２に記載のゴキブリなどの害虫誘導捕獲装置１。
【考案の詳細な説明】
【技術分野】
【０００１】
この考案は室内のゴキブリなどの不快害虫を捕獲するために、室内の壁際の床面や壁面に設置する溝状体からなるゴキブリなどの害虫誘導捕獲装置、特に電極受皿を有するゴキブリなどの害虫誘導捕獲装置に関する。
【背景技術】
【０００２】
従来からゴキブリは、厨房やキッチンあるいは室内などの隅部の暗所に巣くったり、流し台や水屋や食器戸棚などの背面や底の裏側に、時には、これらの食器戸棚の中などに巣くって徘徊し、衛生上極めて不潔である。そこで、これらのゴキブリを捕殺するために覆い状の箱体内の底面上に接着剤を塗る紙製の捕殺容器が種々販売され、これらの箱体を部屋の隅部の要所に配置して捕獲している。さらに、ゴキブリを一挙に捕殺するために、食べ物にかからないように措置をして有機リン剤系の液体の噴霧やピストロイド剤の煙霧などを行っている。
【０００３】
ところで、ゴキブリを捕獲する防虫装置として、収納家具などの隙間に絶縁間隔をおいて２本の電極帯を配設し、この電極帯の２本に触れたゴキブリを感電により撃退する装置が開発されている（例えば、特許文献１参照。）。
【０００４】
しかし、このような装置は、ゴキブリなどの害虫を侵入しないようにするため、感電させる装置である。しかし、ゴキブリなどの害虫が感電ショックを受けても生き返った時に、このゴキブリを捕獲する手段が設けられていないので、ゴキブリなどの害虫は逃げてしまい、撲滅には到らない。ゴキブリなどの害虫が運良く死んでも、その死骸を処理する手段もなく、さらにそれらを捕獲できたことや死んだことを確認する手段も設けられていなかった。
【０００５】
【特許文献１】特開昭６２−３２８３６号公報
【考案の開示】
【考案が解決しようとする課題】
【０００６】
この考案が解決しようとする問題は、厨房８ａや居室８ｂに設置の食器戸棚１０などの家具の裏側や下側や内部に潜んでいるゴキブリなどの不快昆虫が夜中などに部屋８を徘徊した際に、その部屋８の壁８ｃや床８ｄの表面側あるいは裏面側の壁際や床際の全ての領域に、溝状の電極受皿２を有する溝状体３を張りめぐらして設置し、この溝状の電極受皿２の内部に離間して設けたテープ状電極５ａ、５ｂ間でゴキブリに対して感電によるショックを与え、ショックから蘇生して動き出したゴキブリを溝状の電極受皿２の溝内を通路にして電極受皿２の溝内の通路に設けた捕獲穴２ａに誘導してまとめて捕獲処理する装置を提供することである。
【課題を解決するための手段】
【０００７】
上記の課題を解決するための本考案の手段は、請求項１の考案では、紙シート６ａもしくは合成樹脂シート６ｂからなる長尺の絶縁シート６から左右の側壁３ａ、側壁３ｂと、底壁３ｃと中底３ｄから長尺の溝状体３を形成する。この溝状体３の中底３ｄより上側を上部通路３ｅとし、一方、該溝状体３の中底３ｄより下側を下部通路３ｆとする。この上部通路３ｅの左右の側壁３ａ、側壁３ｂと、中底３ｄを形成する紙シート６ａもしくは合成樹脂シート６ｂからなる長尺の絶縁シート６に２条のカラー金属箔４からなる長尺のテープ状電極５ａ、５ｂを平行に、かつ、離間して設けて電極受皿２とする。この溝状の電極受皿２の通路である上部通路３ｅの要所ごとに下部通路３ｆへの捕獲穴２ａを配設する。さらに、これらの上部通路３ｅと下部通路３ｆを有する溝状体３の端部３ｇに、同一構造の他の溝状体３の端部３ｇを縦筒体３ｉを介して接続して屈曲状の溝状体３に形成するこの場合、溝状体３の端部３ｇに、同一構造の他の溝状体３の端部３ｇを接続することなく、端部３ｇを終端とするときは、この端部３ｇに、図１の（ｂ）に示すように、端部壁３ｈを形成するものとする。このように形成した溝状体３を厨房８ａあるいは居室８ｂなどの部屋８の壁８ｃもしくは床８ｄに設置したことを特徴とするゴキブリなどの害虫誘導捕獲装置１である。
【０００８】
請求項２の考案では、溝状体３は左右の側壁３ａ、３ｂの各上端を内側に折り曲げて補強板３ｊ、３ｋに形成し、左右の補強板３ｊ、３ｋの間をゴキブリなどの害虫の進入口としたことを特徴とする請求項１の手段のゴキブリなどの害虫誘導捕獲装置１である。この上端を内側に折り曲げて形成した補強板３ｊ、３ｋの間は、ゴキブリなどの害虫が入り込むことができる大きさの間隙を有するものとなっている。
【０００９】
請求項３の考案では、絶縁シート６は２条のカラー金属箔４からなるテープ状電極５ａ、５ｂに電気を供給する端子部１１を有することを特徴とする請求項１または２の手段のゴキブリなどの害虫誘導捕獲装置１である。この端子部１１には、抵抗Ｒとネオン管ＮＬを直列として配線１４により２条のテープ状電極５ａ、５ｂの一方の電極５に接続し、該２条のテープ状電極５ａ、５ｂの他方の電極５にアース１２を接続し、それらの一端をＡＣ１００Ｖのコネクター１３を有するものとすることができる。
【００１０】
一方、請求項４の考案では、２条のカラー金属箔４からなるテープ状電極５ａ、５ｂに電気を供給する端子部１１は内部に乾電池からなる電源部を有することを特徴とする請求項１または２の手段のゴキブリなどの害虫誘導捕獲装置１である。この端子部１１には、上記の手段の抵抗Ｒとネオン管ＮＬを直列として配線１４により２条のテープ状電極５ａ、５ｂの一方の電極５に接続し、該２条のテープ状電極５ａ、５ｂの他方の電極５ｂにアース１２を接続し、それらの一端をＡＣ１００Ｖのコネクター１３を有するものに代えて、乾電池からなる電源部を有するものとする。
【考案の効果】
【００１１】
本考案は、上記の手段としたゴキブリなどの害虫誘導捕獲装置であり、ゴキブリなどの不快害虫を部屋、特に厨房や台所の壁面や床面に設置して張りめぐらすことで、厨房設備の流しや調理台あるいは食器戸棚や電気冷蔵庫の背面や下面に潜んでいるゴキブリなどの不快害虫を害虫誘導捕獲装置の上部通路である溝状の電極受皿に侵入させ、電極の端子間で感電により弱らせて逃亡を防ぎながら上部通路に有する捕獲穴に誘導して下部通路に落とし込み、これらを集めて捕獲でき、さらに電極の端子部には家庭の交流電源から、あるいは、乾電池から電気を安全に供給できるなど、本考案の装置は優れた効果を奏するゴキブリなどの害虫誘導捕獲装置である。
【考案を実施するための最良の形態】
【００１２】
この考案の実施の形態について説明する。図１の（ａ）に示す、例えば，厨房８ａと居室８ｂからなる部屋８の床８ｄや厨房設備９や食器戸棚１０などの裏面側や下面側あるいは内部に潜んでいる不快昆虫であるゴキブリが夜中などに部屋８、特に厨房８ａなどの台所を徘徊した際に、その部屋８の壁８ｃや床８ｄの床際や壁際の適宜各所に溝状の電極受皿２を上部に有する溝状体３を張りめぐらして設置する。この溝状の電極受皿２の内部の通路である溝状体３の上部通路３ｅに、カラー金属箔４、例えば、カラーアルミ箔、からなる電極５、すなわち２条のテープ状電極５ａ、５ｂを離間して貼付し、この貼付した２条のテープ状電極５ａ、５ｂの間でゴキブリに対して感電によるショックを与えるものである。このショックから蘇生して動き出したゴキブリを溝状の電極受皿２からなる溝状体３の上部通路３ｅで誘導され、電極受皿２の溝状体３の上部通路３ｅの適宜要所に設けた図１の（ｂ）に示す捕獲穴２ａから溝状体３の下部通路３ｆに落下され、下部通路３ｆを徘徊する。この下部通路３ｆの適宜箇所には、上部通路３ｅと一体の端部壁３ｈを図１の（ｂ）に示すように有し、この端部壁３ｈには内側に可動自在な弁状蓋板を設けておく。一方、この端部壁３ｈと反対側の端部壁３ｈの下部通路３ｆ側の端部壁３ｈの部分には内部に開く弁状蓋体を有し、この弁状蓋体を内部に押し開くと、この部分に掃除機の吸引管を挿通して接続できる大きさとなっている。上記の反対側の端部壁３ｈに接続した掃除機により吸引して、上記の下部通路３ｆの適宜箇所に、例えば端部壁３ｈの手前に潜むゴキブリおよびその他に潜むゴキブリをまとめて捕獲するものとしている。
【００１３】
この害虫捕獲装置１は、図２に示すように、溝状体３の上部通路３ｅには、２条のカラー金属箔４からなるテープ状電極５ａ、５ｂを平行に互いに離間幅５ｃを設けて紙シート６ａもしくは合成樹脂シート６ｂからなる絶縁シート６に貼着して電極シート７に形成している。この場合、平行に離間した２条のテープ状電極５ａ、５ｂの間の離間幅５ｃは、捕獲するゴキブリの体長の胴部の長さよりも狭いものとし、これらのテープ状電極５ａ、５ｂの上に１匹のゴキブリが載ると、その一方の脚が２条の一方のテープ状電極５ａに触れ、その他方の脚が２条の他方のテープ状電極５ｂに触れる幅とし、ゴキブリを感電させるものとしている。図２に示す場合は、このテープ状電極５ａ、５ｂの間の離間幅５ｃを設ける位置は、側壁３ａ、３ｂに設けているが、これは中底３ｄの面では、感電する率が高まり、感電により気絶して弱ったゴキブリが蘇生して回復しても、また直ぐに感電することになると、ゴキブリが回復して上部通路３ｅを歩いて捕獲穴２ａに落ち込むことができなくなるからである。
【００１４】
これらテープ状電極５ａ、５ｂはカラー金属箔４から形成し、その表面をカラー化し、人が触れた場合に感電しない程度に導電性を弱くしている。すなわち、これらの２条のテープ状電極５ａ、５ｂを有する電極シート７から、長手方向に２状のテープ状電極５ａ、５ｂを内面に配設した上部通路３ｅからなる長尺の溝状体３に形成している。このように溝状体３の上部通路３ｅの部分は断面が左の側壁３ａと右の側壁３ｂと、これらの間の中底３ｄからなり、２条のテープ状電極５ａ、５ｂの電極間の離間幅５ｃを側壁３ａ、３ｂの内面に有して形成されている。さらに上部通路３ｅの中底３ｄの下部には、側壁３ａ、３ｂと低壁３ｃと上面の中底３ｄからなる下部通路３ｆが形成されている。この場合、上部通路３ｅの中底３ｄには、適所に図１の（ｂ）に示すゴキブリが通りうる大きさの捕獲穴２ａが設けられており、上記したように上部通路３ｅを蘇生して歩いたゴキブリが下部通路３ｆに落ち込むものとしている。この溝状体３を部屋８すなわち厨房８ａなどの壁８ｃもしくは床８ｄに設置する溝状の電極受皿２を有する溝状体３としている。
【００１５】
ところで、図２に示すように、本考案の他の実施例では、溝状体３を厚紙などで形成するとき、その強度を高めるために溝状の電極受皿２である上部通路３ｅの上部には、左右の側壁３ａ、３ｅの上端部から内側の水平方向に短い補強板３ｊ、３ｋをひさし状に張り出して設けている。これらの短い補強板３ｊ、３ｋの間は、ゴキブリが入りうる間隔としている。
【００１６】
図３に示すように、本考案の溝状体３を部屋８の壁８ｃや床８ｄに張りめぐらす際に、直線状の溝状体３を折曲状に張りめぐらすために、２個の溝状体３の端部３ｇをそれぞれ縦筒体３ｉに嵌着して方向転換する。この縦筒体３ｉも２条のテープ状電極５ａ、５ｂを上部通路３ｅ側に有してゴキブリの逃亡を防ぐものとし、さらに中底３ｄを有する。図３に例示するものでは、この中底３ｄにゴキブリを下部の底壁３ｃの上に落とし込むための捕獲穴２ａを有するものとしている。
【００１７】
図４に示すように、溝状体３の溝状の電極受皿２からなる上部通路３ｅは２条のテープ状電極５ａ、５ｂからなり、これらのテープ状電極５ａ、５ｂは共に溝形に形成された絶縁シート６、例えばボール紙などの紙シート６ａあるいは合成樹脂シート６ｂの内面にそれぞれ平行に設けられて、側壁３ａ、３ｂに形成されている。これらのテープ状電極５ａとテープ状電極５ｂの間は離間して離間幅５ｃに形成されている。さらに図１の（ｂ）に示すように、溝状の電極受皿２の通路の要所には、ゴキブリの捕獲穴２ａを開口している。
【００１８】
この害虫誘導捕獲装置１の溝状体３の溝状の電極受皿２の２条のカラー金属箔４からなるテープ状電極５ａ、５ｂは、電気を供給する端子部１１に接続する。図５に示すように、この端子部１１には、一端にコネクター１３を有する電源部として、例えば１００Ｖの交流電源に接続されている。この端子部１１の配線１４には抵抗Ｒとネオン管ＮＬを直列に配設して有し、電圧は人が触っても安全な程度に低減されており、他方の配線１５にはアース１２を安全のために設けている。もちろん、これらの電源部に代えて、乾電池から電源部を形成することができる。
【００１９】
部屋８の壁８ｃあるいは壁際の床８ｄに設置の溝状の電極受皿２を有する溝状体３において、厨房設備９や食器戸棚１０などの家具の背部や下部の部分を除いて、溝状体３の溝状の電極受皿２が露出している明るい場所では、ゴキブリが出現しにくい。しかしながら、消灯した部屋では居間などにゴキブリが出現するので、このような昼間明るい場所でも溝状体３を設置すると消灯時には、ゴキブリを捕獲できる。また、この捕獲穴２ａに入ったゴキブリは定期的に掃除機などで吸い出して取り除くものとする。この場合、下部通路３ｆの真空度を高めるために、捕獲穴２ａには、図示しないが、上部通路３ｅの捕獲穴２ａの上部にひさし状に臨む弁状の蓋部を周囲に空隙を設けて配設し、掃除機でゴキブリを吸引する際に、この弁状の蓋部が上部通路３ｅに接触して下部通路３ｆ内の真空度を高めてゴキブリを効率よく吸引するものとする。
【図面の簡単な説明】
【００２０】
【図１】本考案の害虫誘導捕獲装置を配設した厨房とその溝状の電極受皿の設置状体を示す模式図で、（ａ）は厨房の俯瞰図を示し、（ｂ）は溝状の電極受皿の設置状体の斜視図である。
【図２】本考案の溝状の電極受皿を有する溝状体の１実施例の模式図で、（ａ）は斜視図で、（ｂ）は断面図である。
【図３】本考案の溝状の電極受皿を有する溝状体と曲折用の縦筒体の実施例の模式図である。
【図４】本考案の溝状の電極受皿を有する溝状体の他の実施例の模式図の斜視図である。
【図５】本考案における交流電源を模式的に示す配線図である。
【符号の説明】
【００２１】
１  害虫誘導捕獲装置
２  溝状の電極受皿
２ａ  捕獲穴
３  溝状体
３ａ  側壁
３ｂ  側壁
３ｃ  底壁
３ｄ  中底
３ｅ  上部通路
３ｆ  下部通路
３ｇ  端部
３ｈ  端部壁
３ｉ  縦筒体
３ｊ  補強板
３ｋ  補強板
４  カラー金属箔
５  電極
５ａ  テープ状電極
５ｂ  テープ状電極
５ｃ  離間幅
６  絶縁シート
６ａ  紙シート
６ｂ  合成樹脂シート
７  電極シート
８  部屋
８ａ  厨房
８ｂ  居室
８ｃ  壁
８ｄ  床
９  厨房設備
１０  食器戸棚
１１  端子部
１２  アース
１３  コネクター
１４  配線
１５  配線
Ｒ  抵抗
ＮＬ  ネオン管
【図１】
0003134913.tif 000003
【図２】
0003134913.tif 000004
【図３】
0003134913.tif 000005
【図４】
0003134913.tif 000006
【図５】
0003134913.tif 000007